(57)【要約】【課題】局部洗浄等の各機能の設定条件をあらかじめ記憶可能なトイレ装置において、各機能の設定条件ごとに個人設定を柔軟に更新可能なトイレ操作装置を提供する。【解決手段】トイレ操作装置１は、第１のボタン群２と、第２のボタン群３と、保存用ボタン４とを備える。第１のボタン群２は、トイレ装置の各機能の設定条件を調整するボタンである。第２のボタン群３は、記憶部に記録された設定条件を、トイレ装置の各機能の動作条件とするボタンである。保存用ボタン４は、各機能の動作条件が記憶部に記録された設定条件から変更された場合、記憶部の設定条件を変更後の動作条件へ更新するボタンである。動作条件は、第２のボタン群３の操作後に第１のボタン群２が操作されれば、記憶部に記録された設定条件から変更される。動作条件が記憶部の設定条件から変更された後、所定時間内に保存用ボタン４が操作されない場合、記憶部は更新されない。【選択図】図１
2019039270.tif 000002
【特許請求の範囲】
【請求項１】
局部洗浄等の各機能の設定条件を調整するための第１のボタン群と、
記憶部にあらかじめ記録された設定条件を、前記各機能の動作条件とするための第２のボタン群と、
前記動作条件が前記設定条件から変更された場合に、前記記憶部に記録された設定条件を変更後の動作条件へと更新するための保存用ボタンと、を備え、
前記動作条件は、前記第２のボタン群のボタンを操作後に、前記第１のボタン群のボタンが操作されることで、前記設定条件から変更され、
前記動作条件が前記設定条件から変更された後、所定時間内に前記保存用ボタンが操作されない場合は、前記記憶部に記録された設定条件は更新されないトイレ操作装置。
【請求項２】
前記第２のボタン群の各ボタンには、それぞれ別個の設定条件を設定できる請求項１記載のトイレ操作装置。
【請求項３】
前記所定時間は、トイレ室内に備え付けられた検知手段が、人体を検出している時間である請求項１又は２記載のトイレ操作装置。
【請求項４】
前記各機能には、局部洗浄と、局部の乾燥と、便座の加温と、が含まれ、
前記局部洗浄についての前記設定条件には、洗浄の強さと、洗浄位置と、水温と、が含まれ、
前記局部の乾燥についての前記設定条件には、送風温度と、送風強度と、が含まれ、
前記便座の加温についての前記設定条件には、便座温度が含まれる請求項１〜３のいずれか一項記載のトイレ操作装置。
【請求項５】
前記第２のボタン群の各ボタンは発光可能に形成され、前記第２のボタン群のボタンのうち、操作されたボタンが発光する請求項１〜４のいずれか一項記載のトイレ操作装置。
【発明の詳細な説明】
【技術分野】
【０００１】
本発明は、局部洗浄機能等の諸機能を有するトイレを操作するためのトイレ操作装置に関する。
【背景技術】
【０００２】
局部洗浄機能等の諸機能を有するトイレにおいて、各機能の設定条件を個人毎に記憶しておき、登録された個人の使用の際にその個人に対応した設定条件で各機能を動作させる技術が開発されている。例えば特許文献１に開示されるトイレ装置においては、体重等の検知情報を用いて個人を識別し、識別した個人毎の設定条件において局部洗浄等の諸機能を動作させる。
【先行技術文献】
【特許文献】
【０００３】
【特許文献１】特開平５−１２５７５５号公報
【発明の概要】
【発明が解決しようとする課題】
【０００４】
しかしながら、特許文献１に開示されるトイレ装置においては、登録された個人が使用中に局部洗浄等の諸機能の設定条件を変更した場合、常に変更された設定条件が新たに登録されてしまう。
【０００５】
かかる場合、その日の気分や体調に応じて一時的に設定条件を変更した場合であっても、変更後の設定条件が新たに登録されてしまうため、各機能の設定条件の柔軟な登録・変更を行うことができなかった。
【０００６】
本発明は、かかる課題に鑑みてなされたものである。その目的は、局部洗浄等の各機能の設定条件をあらかじめ記憶可能なトイレ装置において、各機能の設定条件ごとに個人設定を柔軟に更新可能なトイレ操作装置を提供することである。
【課題を解決するための手段】
【０００７】
上記課題を解決するために、本発明に係るトイレ操作装置は、局部洗浄等の各機能の設定条件を調整するための第１のボタン群と、記憶部にあらかじめ記録された設定条件を、前記各機能の動作条件とするための第２のボタン群と、前記動作条件が前記設定条件から変更された場合に、前記記憶部に記録された設定条件を変更後の動作条件へと更新するための保存用ボタンと、を備え、前記動作条件は、前記第２のボタン群のボタンを操作後に、前記第１のボタン群のボタンが操作されることで、前記設定条件から変更され、前記動作条件が前記設定条件から変更された後、所定時間内に前記保存用ボタンが操作されない場合は、前記記憶部に記録された設定条件は更新されない。
【発明の効果】
【０００８】
本発明に係るトイレ操作装置を用いれば、局部洗浄等の各機能の設定条件をあらかじめ記憶可能なトイレ装置において、各機能の設定条件ごとに個人設定を柔軟に更新することができる。
【図面の簡単な説明】
【０００９】
【図１】実施の形態１に係るトイレ操作装置の動作を示すフローチャート
【図２】（ａ）実施の形態１に係るトイレ操作装置の一例を模式的に表した正面図（ｂ）実施の形態１に係るトイレ操作装置の一例のおける蓋の内側を模式的に表した図
【発明を実施するための形態】
【００１０】
以下、図面を用いて、本発明に係る実施の形態について説明する。なお、以下で説明する実施の形態については、いずれも本発明の具体的な一例を示すものであって、これらによって本発明を限定する趣旨のものではない。また、用いる図面は、実施の形態について模式的に表したものであって、必ずしも厳密に図示しているものではない。各図において、実質的に同様の構成には、同じ符号を付している。
【００１１】
（実施の形態１）
以下、図１及び２を用いて、本発明に係るトイレ操作装置１の実施の形態１について説明する。図１は、実施の形態１に係るトイレ操作装置の動作を示すフローチャートである。図２（ａ）は、実施の形態１に係るトイレ操作装置の一例を模式的に表した正面図である。また、図２（ｂ）は、実施の形態１に係るトイレ操作装置の一例のおける蓋の内側を模式的に表した図である。
【００１２】
［構成］
実施の形態１において、トイレ操作装置１は、局部洗浄等の諸機能を有するトイレ装置を遠隔操作するためのリモコンである。トイレ操作装置１と、トイレ装置とは無線によって繋がっている。また、トイレ操作装置１は、電池によって駆動するものであるが、これは外部電源に接続されることで駆動する構成としてもよい。
【００１３】
なお、トイレ操作装置１は、トイレ装置を遠隔操作するものに限られない。例えば、トイレ操作装置１とトイレ装置が、有線によって接続されていてもよい。また、トイレ操作装置１が、トイレ装置と一体に形成されていてもよい。
【００１４】
トイレ操作装置１は、操作装置本体９と、第１のボタン群２と、第２のボタン群３と、保存用ボタン４と、流水ボタン６ａ、６ｂ等の複数のボタンを備える。また、トイレ操作装置１は複数のボタンの他に、表示部５ａ〜５ｉと、記憶部（図示せず）を有する。
【００１５】
操作装置本体９は、開閉可能な蓋１０を有し、蓋１０の表面１０ａと内側１０ｂの双方に、複数のボタンを有している。表面１０ａには、トイレ装置の使用者が頻繁に操作するボタンを設置し、内側１０ｂには、トイレ装置の使用者が頻繁には操作しないボタンを設置するのが好ましい。頻繁に使用するボタンが蓋１０の開閉なしに操作できる方が、使用者に便宜なためである。
【００１６】
第１のボタン群２は、トイレ装置の諸機能の動作指示を行うためのボタン２１ａ〜２１ｅと、トイレ装置の諸機能の動作条件を変更するためのボタン２２ａ〜２２ｊを有する。ここで、実施の形態１において、トイレ装置の諸機能としては、局部洗浄と、局部乾燥と、便座加温と、が含まれる。
【００１７】
第２のボタン群３は、４つのボタン３１ａ〜３１ｄを有し、４つのボタン３１ａ〜３１ｄのそれぞれに対応したトイレ装置の各機能の設定条件が記憶部に記録されている。トイレ装置の使用者は、第２のボタン群のボタン３１ａ〜３１ｄのいずれかを操作することで、操作したボタンに対応付けられて記録されているトイレ装置の各機能の設定条件に、トイレ装置の各機能の動作条件を１つの操作で設定することができる。
【００１８】
第２のボタン群３のボタン３１ａ〜３１ｄのそれぞれに、父、母、兄、妹のような、家族等のトイレ装置を頻繁に使用する個人それぞれの嗜好に合う設定条件を設定しておけば、１つの操作のみで各個人の嗜好に合う各機能の動作条件を呼び出すことができる。
【００１９】
なお、第２のボタン群３のボタン３１ａ〜３１ｄの内の複数のボタンを、１人で使用するようにしてもよい。この場合、使用する複数のボタンに異なる設定条件を登録しておけば、利用時の気分や体調等に応じて、最適な設定条件を選択して利用することができる。
【００２０】
なお、第２のボタン群３の各ボタンの数は、４つに限定されるものではない。第２のボタン群３の各ボタン数は、例えば、１〜３つでもよく、また、５つ以上の数であってもよい。第２のボタン群３の各ボタンの数は、適宜の数でトイレ操作装置１を製造することができる。
【００２１】
保存用ボタン４は、第２のボタン群３の各ボタン３１ａ〜３１ｄのいずれかに対応付けられて記録されているトイレ装置の各機能の設定条件が変更された場合に、その変更後の設定条件に記憶部を更新するために操作されるボタンである。
【００２２】
記憶部は、第２のボタン群３の各ボタン３１ａ〜３１ｄに対応付けられているトイレ装置の各機能の設定条件を記録している。また、表示部５ａ〜５ｉは、トイレ装置の各機能の現在の動作条件を表示する。
【００２３】
実施の形態１において、表示部５ａ〜５ｉのそれぞれは、複数の発光素子と、その発光素子のそれぞれに対応した透光部を有する。発光素子は、例えば、発光ダイオード（ＬＥＤ：Ｌｉｇｈｔ  Ｅｍｉｔｔｉｎｇ  Ｄｉｏｄｅ）や有機ＥＬ（ＥＬ：Ｅｌｅｃｔｒｏ  Ｌｕｍｉｎｅｓｃｅｎｃｅ）や無機ＥＬ等、等様々な発光素子を採用することができる。また、透光部とは、対応する発光素子の発光を透過する部分であり、トイレ装置の使用者に目視可能とするためのものである。
【００２４】
表示部５ａ〜５ｈは、発光している発光素子の数や、発光している発光素子の位置や、発光素子の点灯状態等によって、局部洗浄の強さや、便座温度の高低や、局部乾燥用の風温度の高低等、を表示する。また、表示部５ｉは、発光素子が点灯している否かによって、トイレ操作装置１の電池残量についてトイレ装置の使用者に通知するものである。
【００２５】
なお、表示部５ａ〜５ｉは、発光素子によってトイレ装置の各機能の現在の動作条件を表示するものに限定されない。例えば、表示部５ａ〜５ｉが液晶等の表示手段を有しており、その表示手段に局部洗浄の強さや便座温度等を数字や言葉で表示するような構成にしてもよい。また、発光素子によって動作条件を表示するものと、液晶等の表示手段によって動作条件を表示するものとを、組み合わせて表示部５ａ〜５ｉを構成してもよい。
【００２６】
以下では、トイレ操作装置１が備える各要素について詳細に説明する。
【００２７】
［第１のボタン群］
第１のボタン群２は、トイレ装置の諸機能の動作指示を行うためのボタン２１ａ〜２１ｅと、トイレ装置の諸機能の動作条件を変更するためのボタン２２ａ〜２２ｊを有する。以下では、各ボタン２１ａ〜２１ｅ及び２２ａ〜２２ｊについて説明する。
【００２８】
ボタン２１ａは、トイレ装置が局部洗浄や局部乾燥等の諸機能を動作中に操作するボタンであり、動作中の諸機能の動作を停止する指示を発するために操作される。ボタン２１ｂは、トイレ装置に局部洗浄（おしり）の機能を動作させるためのボタンである。また、局部洗浄（おしり）の動作中に、再度、ボタン２１ｂを操作すると、洗浄位置が周期的に変化するムーブ機能が動作される。
【００２９】
ボタン２１ｃは、トイレ装置に局部洗浄（ビデ）の機能を動作させるためのボタンであ
る。また、局部洗浄（ビデ）の動作中に、再度、ボタン２１ｃを操作すると、洗浄位置が周期的に変化するムーブ機能が動作される。ボタン２１ｄは、トイレ装置に局部乾燥の機能を動作させるためのボタンである。
【００３０】
ボタン２１ｅは、トイレ装置に、排便・排尿等に伴う音を外部にわかりにくくするための音を出力する音出力機能を動作させるためのボタンである。ボタン２１ｅの操作によって流れる音は、例えば、流水音等であるが、これは、音楽や鳥のさえずり音等であってもよい。
【００３１】
ボタン２２ａは、局部洗浄（おしり）及び局部洗浄（ビデ）の機能において、その洗浄強さを設定するためのボタンである。実施の形態１においては、洗浄強さは５段階で設定可能であり、ボタン２２ａを操作する毎に洗浄強さが強くなる。また、洗浄強さが最も強い設定の状態で、さらにボタン２２ａを操作すると、洗浄強さがもっとも弱い設定に変更される。現状の洗浄強さについては、表示部５ａに表示される。
【００３２】
なお、洗浄強さの設定については５段階で変更可能な構成に限られず、５段階以下で変更可能な構成でもよく、或いは、５段階以上で変更可能な構成でもよい。また、洗浄強さの変更については、ボタン２２ａを操作するたびに洗浄強さが強くなる構成に限定されるものではない。例えば、ボタン２２ａを操作するたびに洗浄強さが弱くなる構成とすることもできる。また、洗浄強さを強くするために操作されるボタンと、洗浄強さを弱くするために操作されるボタンの、２つのボタンによって洗浄強さを変更できるような構成としてもよい。
【００３３】
ボタン２２ｂは、局部洗浄（おしり）及び局部洗浄（ビデ）の機能において、その洗浄位置を設定するためのボタンである。実施の形態１においては、洗浄位置は５段階で設定可能であり、ボタン２２ｂを操作する毎に洗浄位置が後ろに移動する。また、洗浄位置が最も後ろの設定の状態で、さらにボタン２２ｂを操作すると、洗浄位置がもっとも前の設定に変更される。現状の洗浄位置については、表示部５ｂに表示される。
【００３４】
なお、洗浄位置の設定については５段階で変更可能な構成に限られず、５段階以下で変更可能な構成でもよく、或いは、５段階以上で変更可能な構成でもよい。また、洗浄位置の変更については、ボタン２２ｂを操作するたびに洗浄強位置が後ろになる構成に限定されるものではない。例えば、ボタン２２ｂを操作するたびに洗浄位置が前になる構成とすることもできる。また、洗浄位置を前にするために操作されるボタンと、洗浄位置を後ろにするために操作されるボタンの、２つのボタンによって洗浄位置を変更できるような構成としてもよい。
【００３５】
ボタン２２ｃおよび２２ｄは、ボタン２１ｅの操作によって動作される音出力機能の出力音量を変更するためのボタンである。実施の形態１においては、出力音量は３段階で変更可能であり、現状の出力音量は表示部５ｃに表示される。ボタン２２ｃは、出力音量を下げるために操作されるボタンである。また、ボタン２２ｄは、出力音量を上げるために操作されるボタンである。
【００３６】
なお、出力音量の設定については、３段階で変更可能な構成に限らず、３段階以下で変更可能な構成でもよく、或いは、３段階以上で変更可能な構成でもよい。また、出力音量の変更については、ボタン２２ｃ及び２２ｄの２つのボタンによって変更する構成に限らない。例えば、１つのボタンで、そのボタンを操作するたびに出力音量が上がり、最大音量の状態で、さらにボタンを操作すると最小音量に変更されるような構成とすることもできる。また、１つのボタンで、そのボタンを操作するたびに出力音量が下がり、最小音量の状態で、さらにボタンを操作すると最大音量に変更されるような構成とすることもでき
る。
【００３７】
ボタン２２ｅは、便座温度の高低を設定するためのボタンである。実施の形態１においては、便座温度は３段階で設定可能であり、現状の便座温度については表示部５ｄに表示される。ボタン２２ｅを操作するたびに、便座温度は高い設定になる。そして、便座温度が最高温度に設定されている状態で、再度ボタン２２ｅが操作されると、便座温度が最低温度に変更される。
【００３８】
なお、便座温度の高低の設定については、３段階で変更可能な構成に限らず、３段階以下で変更可能な構成でもよく、或いは、３段階以上で変更可能な構成でもよい。また、便座温度の変更については、ボタン２２ｅを操作するたびに便座温度が高い設定になる構成に限定されるものではない。例えば、ボタン２２ｅを操作するたびに便座温度が低い設定となる構成とすることもできる。また、便座温度を高い設定にするために操作されるボタンと、便座温度を低い設定にするために操作されるボタンの、２つのボタンで便座温度が変更可能な構成とすることもできる。
【００３９】
ボタン２２ｆは、局部洗浄（おしり）及び局部洗浄（ビデ）の洗浄水の水温を設定するためのボタンである。実施の形態１においては、洗浄水の水温は３段階で設定可能であり、現状の水温については表示部５ｄに表示される。ボタン２２ｆを操作するたびに、水温は高い設定になる。そして、水温が最高温度に設定されている状態で、再度ボタン２２ｆが操作されると、水温が最低温度に変更される。
【００４０】
なお、水温の高低の設定については、３段階で変更可能な構成に限らず、３段階以下で変更可能な構成でもよく、或いは、３段階以上で変更可能な構成でもよい。また、水温の変更については、ボタン２２ｆを操作するたびに水温が高い設定になる構成に限定されるものではない。例えば、ボタン２２ｆを操作するたびに水温が低い設定となる構成とすることもできる。また、水温を高い設定にするために操作されるボタンと、水温を低い設定にするために操作されるボタンの、２つのボタンで便座温度が変更可能な構成とすることもできる。
【００４１】
ボタン２２ｇは、局部乾燥の風温度を設定するためのボタンである。実施の形態１においては、局部乾燥の風温度は３段階で設定可能であり、現状の風温度については表示部５ｄに表示される。ボタン２２ｇを操作するたびに、風温度は高い設定になる。そして、風温度が最高温度に設定されている状態で、再度ボタン２２ｇが操作されると、風温度が最低温度に変更される。
【００４２】
なお、風温度の高低の設定については、３段階で変更可能な構成に限らず、３段階以下で変更可能な構成でもよく、或いは、３段階以上で変更可能な構成でもよい。また、風温度の変更については、ボタン２２ｇを操作するたびに風温度が高い設定になる構成に限定されるものではない。例えば、ボタン２２ｇを操作するたびに風温度が低い設定となる構成とすることもできる。また、風温度を高い設定にするために操作されるボタンと、風温度を低い設定にするために操作されるボタンの、２つのボタンで風温度が変更可能な構成とすることもできる。
【００４３】
上述の通り、表示部５ｄは、便座温度、局部洗浄の水温、局部乾燥の風温度の３種の動作条件を表示する。実施の形態１において、表示部５ｄは、普段は消灯しており、ボタン２２ｅ、２２ｆ、２２ｇのいずれかが操作されれば、点灯する。
【００４４】
この際、ボタン２２ｅが操作された場合は、その時の便座温度の設定条件が表示部５ｄに表示される。また、ボタン２２ｆが操作された場合は、その時の局部洗浄の水温の設定
条件が表示部５ｄに表示される。また、ボタン２２ｇが操作された場合は、その時の局部乾燥の風温度の設定条件が表示部５ｄに表示される。
【００４５】
そして、表示部５ｄが、便座温度の設定条件を表示している際に、ボタン２２ｅを操作することで、便座温度の設定条件を変更することができる。また、表示部５ｄが、局部洗浄の水温の設定条件を表示している際に、ボタン２２ｆを操作することで、局部洗浄の水温の設定条件を変更することができる。また、表示部５ｄが、局部乾燥の風温度の設定条件を表示している際に、ボタン２２ｇを操作することで、局部乾燥の風温度の設定条件を変更することができる。
【００４６】
表示部５ｄは、ボタン２２ｅ、２２ｆ、２２ｇのいずれかが最後に操作されてから所定期間（例えば、１分間）経過するまでに、ボタン２２ｅ、２２ｆ、２２ｇのいずれも操作されない場合、消灯する。
【００４７】
なお、表示部５ｄの構成は上記ように、便座温度、局部洗浄の水温、局部乾燥の風温度の３種の動作条件を表示するものに限定されるものではない。例えば、便座温度、局部洗浄の水温、局部乾燥の風温度についての別々の表示部を設けてもよい。
【００４８】
ボタン２２ｈ及びボタン２２ｉは、局部洗浄（おしり）及び局部洗浄（ビデ）の洗浄水の噴出幅を設定するためのボタンである。実施の形態１においては、洗浄水の噴出幅は５段階で設定可能である。ボタン２２ｈは、洗浄水の噴出幅を細くするために操作されるボタンである。また、ボタン２２ｉは、洗浄水の噴出幅を太くするために操作されるボタンである。
【００４９】
なお、洗浄水の噴出幅の設定については、５段階で変更可能な構成に限らず、５段階以下で変更可能な構成でもよく、或いは、５段階以上で変更可能な構成でもよい。また、洗浄水の噴出幅の変更については、ボタン２２ｈ及び２２ｉの２つのボタンによって変更する構成に限らない。例えば、１つのボタンで、そのボタンを操作するたびに洗浄水の噴出幅が太くなり、噴出幅が最も太い設定状態で、さらにボタンを操作すると最も細い噴出幅に変更されるような構成とすることもできる。また、１つのボタンで、そのボタンを操作するたびに洗浄水の噴出幅が細くなり、噴出幅が最も細い設定状態で、さらにボタンを操作すると最も太い噴出幅に変更されるような構成とすることもできる。
【００５０】
ボタン２２ｊを操作することで、局部洗浄（おしり）及び局部洗浄（ビデ）の洗浄において洗浄強さの強弱を周期的に変化させることができる。実施の形態１においては、リズム機能で可能な洗浄強さの強弱の周期は１種類を想定しているが、これは、複数種類の洗浄強さの強弱の周期を、ボタン２２ｊを操作するたびに変更可能な構成とすることもできる。
【００５１】
動作指示のために操作されるボタン２１ａ〜２１ｅの操作後に、設定条件の変更のために操作されるボタン２２ａ〜２２ｊを操作することで、トイレ装置の諸機能の設定条件を変更することができる。
【００５２】
上述の通り、実施の形態１において、第１のボタン群２の操作によって、動作させ、設定条件を変更できるトイレ装置の各機能には、局部洗浄（おしり）と、局部洗浄（ビデ）と、局部乾燥と、便座加温と、音出力機能と、がある。なお、トイレ装置の各機能は上記に限定されるものではない。例えば、トイレ装置の機能として音出力機能を有さないような場合等、上述の各機能のいくつかを有さない構成とすることもできる。また、トイレ室内の換気機能や脱臭機能等の別の機能を有するような構成としてもよい。
【００５３】
［第２のボタン群］
第２のボタン群３の各ボタンは、各ボタンに対応付けられて記憶部に記録されているトイレ装置の各機能の設定条件を呼び出すためのボタンであり、４つのボタン３１ａ〜３１ｄを有する。第２のボタン群３のボタン３１ａ〜３１ｄのいずれかが操作されれば、そのボタンに対応付けられて記録されている設定条件が呼び出され、トイレ装置に動作指示を行うためのボタン２１ａ〜２１ｅを操作することで、その設定条件で各機能が動作する。
【００５４】
トイレ装置の使用者は、第２のボタン群３のボタン３１ａ〜３１ｄのいずれかを操作することで、トイレ装置の各機能の動作条件を細かく設定し直す必要がなく、使用者の嗜好に合った条件でトイレ装置の各機能を動作させることができる。
【００５５】
また、第２のボタン群３のボタン３１ａ〜３１ｄのそれぞれに、父、母、兄、妹のように、家族の構成員のそれぞれの嗜好に合う設定条件を設定しておけば、１つの操作のみで各個人の嗜好に合う各機能の動作条件を簡単に呼び出すことができる。
【００５６】
なお、上述の通り、第２のボタン群３の各ボタンの数は、４つに限定されるものではない。第２のボタン群３の各ボタン数は、例えば、１〜３つでもよく、また、５つ以上の数であってもよい。
【００５７】
また、第２のボタン群３の各ボタン３１ａ〜３１ｄは、発光可能に形成されていることが好ましい。実施の形態１においては、図２（ａ）においてボタン３１ａ〜３１ｄの数字部分が透明樹脂などで形成された透光部となっており、各透光部に対応する位置に発光素子が設置されていることで、発光可能となっている。
【００５８】
発光素子としては、実施の形態１においては、発光ダイオード（Ｌｉｇｈｔ  Ｅｍｉｔｔｉｎｇ  Ｄｉｏｄｅ：ＬＥＤ）を用いているが、発光素子はＬＥＤに限定されない。例えば、半導体レーザー等に用いられる半導体発光素子や、有機ＥＬ（ＥＬ：Ｅｌｅｃｔｒｏ  Ｌｕｍｉｎｅｓｃｅｎｃｅ）若しくは無機ＥＬ等のＥＬ素子等様々な発光素子を用いることができる。
【００５９】
第２のボタン群３の各ボタン３１ａ〜３１ｄの内、操作されたボタンの発光素子のみが発光し、操作されていないボタンの発光素子は発光しないことが好ましい。このような構成とすることで、ボタン３１ａ〜３１ｄの内の、どのボタンに対応した設定条件が呼び出されているのかを一見して把握することができる。
【００６０】
［保存用ボタン］
保存用ボタン４は、第２のボタン群３の各ボタン３１ａ〜３１ｄのいずれかに対応付けられて記録されているトイレ装置の各機能の設定条件が変更された場合に、その変更後の設定条件に記憶部を更新するために操作されるボタンである。
【００６１】
第２のボタン群３の各ボタン３１ａ〜３１ｄのいずれかが操作された後に、第１のボタン群２を操作することで設定条件が変更された場合、各ボタン３１ａ〜３１ｄの内の操作されたボタンに対応する設定条件の変更後の条件が後述する一時記憶部に記録される。そして、所定時間が経過する前に保存用ボタン４が操作された場合は、後述する長期記憶部の各ボタン３１ａ〜３１ｄの内の操作されたボタンに対応する設定条件が、一時記憶部に記録された変更後の設定条件に更新される。
【００６２】
実施の形態１において、前述の所定時間とは、トイレ装置及びトイレ操作装置１のどちらか一方が備えた検知手段が、トイレ装置の使用者を検知している時間である。つまり、検知手段が使用者を検知しなくなった場合、一時記憶部に記録された変更後の設定条件は
消去される。
【００６３】
ここで、実施の形態１において、検知手段としては、赤外線センサを用いることを想定しているが、検知手段は赤外線センサに限定されない。例えば、電波センサを用いてもよいし、便座に圧力センサを設けることで使用者を検知してもよく、さまざまなセンサやカメラ等を用いることができる。
【００６４】
また、前述の所定時間は、検知手段が使用者を検知している時間に限定されない。例えば、検知手段が使用者を検知しなくなってから一定時間（例えば、５分間や１０分間等）であってもよい。その場合は、検知手段が使用者を検知しなくなってから一定時間経過した場合、一時記憶部に記録された変更後の設定条件は消去される。
【００６５】
ボタン３１ａ〜３１ｄのいずれかに対応して記録されている設定条件が変更された場合でも、保存用ボタン４が操作されなければ変更後の設定条件に更新しないことで、一時的に動作条件を変更することが可能となる。このように、設定条件を変更後の条件に更新するか否かを１つのボタン操作で選択できるため、その日の気分等に応じて一時的に設定条件を変更したり、気に入った場合は変更後の条件に設定条件を更新したりすることができ、柔軟な設定条件の変更が可能となる。
【００６６】
［その他のボタン］
ボタン６ａ及び６ｂは、便器内の排泄物を流すための流水機能を動作させるために操作されるボタンである。ボタン６ａと６ｂは、その流す流水量が異なっており、ボタン６ａよりもボタン６ｂを操作した場合の方が、流水量は多くなる。ボタン６ａは、主に尿を流すために操作される。また、ボタン６ｂは、主に便を流すために操作される。
【００６７】
ボタン７ａは、トイレ装置の便座を開閉させるために操作されるボタンである。便座が閉状態の際にボタン７ａが操作されれば、便座は開状態になる。また、便座が開状態の際にボタン７ａが操作されれば、便座は閉状態になる。なお、閉状態とは、便座が便器本体の上面に被さっている状態である。また、開状態とは、便座が便器本体から立ち上がった状態である。
【００６８】
ボタン７ｂは、トイレ装置の便ふたを開閉させるために操作されるボタンである。ここで、便ふたとは、閉状態において、便座の上からさらに便器本体に被さるふたのことである。便ふたが閉状態の際にボタン７ｂが操作されれば、便ふたは開状態になる。また、便ふたが開状態の際にボタン７ｂが操作されれば、便ふたは閉状態になる。なお、閉状態とは、便ふたが便座の上からさらに便器本体に被さっている状態である。また、開状態とは、便ふたが便器本体から立ち上がった状態である。
【００６９】
ボタン８ａは、脱臭機能を動作させるために操作されるボタンである。ボタン８ａを操作するたびに、脱臭機能のＯＮ／ＯＦＦが切り替わる。なお、脱臭機能を動作させるか否かについても、第２のボタン群３の各ボタン３ａ〜３ｄに対応付けて記憶部に記憶される設定条件に含めてもよい。
【００７０】
ボタン８ｂは、脱臭機能のタイマーを設定するために操作されるボタンである。実施の形態１において、脱臭機能のタイマーは４時間、６時間、８時間の３段階で設定可能である。ボタン８ｂを操作するたびに、タイマーの設定時間が長くなり、タイマーが８時間に設定されている状態でボタン８ｂを操作すれば、タイマーを解除できる。タイマーの設定時間については、表示部５ｇに表示される。
【００７１】
なお、脱臭機能のタイマーの設定については３段階に限られず、１段階や２段階でもよ
く、４段階以上でもよい。また、タイマーを設定できる時間は、４時間、６時間、８時間に限られず、例えば２時間や３時間や５時間でもよく、適宜に設定可能である。
【００７２】
ボタン８ｃは、便ふたの自動開閉機能を動作させるために操作されるボタンである。ボタン８ｃを操作することで、便ふたの自動開閉機能のＯＮ／ＯＦＦを切り替えることができる。便ふたの自動開閉機能が動作している場合、表示部５ｈが表示する。
【００７３】
便ふたの自動開閉機能が動作している際に、トイレ装置及びトイレ操作装置１のどちらか一方が備えた検知手段が、トイレ室内に人が侵入したことを検知した場合で、便ふたが閉状態の場合は、トイレ装置は便ふたを自動で開状態にする。また、便ふたの自動開閉機能が動作している際に、トイレ装置及びトイレ操作装置１のどちらか一方が備えた検知手段が、トイレ室内から人が出て行ったことを検知した場合で、便ふたが開状態の場合は、トイレ装置は便ふたを自動で閉状態にする。
【００７４】
ボタン８ｄは、チャイルドロック機能を動作させるためのボタンである。ボタン８ｄを、所定時間（実施の形態１においては３秒間）操作することで、チャイルドロック機能のＯＮ／ＯＦＦを切り替えることができる。なお、ボタン８ｄを操作する所定時間は、適宜に設定可能である。
【００７５】
チャイルドロック機能が動作している場合、各種ボタンを操作しても、トイレ装置は動作を行わないので、子供等が誤ってボタン操作してしまうことで記憶部に記録されている設定条件等が変更されることや、子供等の誤操作で局部洗浄機能が動作すること等を防ぐことができる。なお、チャイルドロック機能の動作中に動作しなくなる機能については、適宜に設定できるようにしてもよい。
【００７６】
ボタン８ｅは、局部洗浄用のノズルの掃除のために操作されるボタンである。ボタン８ｅを操作すると、所定時間（例えば１分間）の間、ノズルが収納場所から出てきて、弱い勢いで水を噴出すことで、ノズルが自動で洗浄される。また、この所定時間内であれば、操作者が自らノズルを洗浄してもよい。
【００７７】
ボタン８ｆは、局部洗浄用のノズルの除菌のために操作されるボタンである。ボタン８ｆを操作すると、所定時間（例えば１分間）の間、ノズルが収納場所から出てきて、洗浄水を弱い勢いで噴出することで、ノズルが自動で除菌される。また、この所定時間内であれば、操作者が自らノズルを除菌処理してもよい。
【００７８】
ボタン８ｇは、便器内の水位を調整するために操作されるボタンである。ボタン８ｇを操作するたびに、水位が上昇し、最高水位の状態でさらにボタン８ｇを操作すれば最低水位まで水位が下がる。
【００７９】
ボタン８ｈは、排尿時等の便器内の水の飛び跳ねを抑制する機能を動作させるために操作されるボタンである。飛び跳ね抑制の方法は様々な方法を採用可能であるが、実施の形態１においては、便器内の水面に泡を生成することによって飛び跳ねを抑制する方法を採用している。
【００８０】
［記憶部］
記憶部は、第２のボタン群３の各ボタン３１ａ〜３１ｄに対応付けられているトイレ装置の各機能の設定条件を記録している。実施の形態１において、記憶部は、操作装置本体９に内蔵されたメモリである。
【００８１】
なお、記憶部は操作装置本体９に内蔵されたメモリに限定されるものではない。記憶部
は、例えば、外部メモリや、サーバ等の外部記憶装置であってもよい。記憶部が外部記憶装置である場合は、トイレ操作装置１と外部記憶装置との間で、インターネット等を介した通信が行われる。また、記憶部は、トイレ装置に備えられていてもよい。
【００８２】
記憶部は、一時記憶部と、長期記憶部とを備える。一時記憶部は、第２のボタン群３の各ボタン３１ａ〜３１ｄのいずれかが操作された後に、トイレ装置の諸機能のいずれかの動作条件が変更された場合に、変更後の動作条件を一時的に記憶する。そして、所定時間が経過する前に保存用ボタン４が操作された場合は、後述する長期記憶部の各ボタン３１ａ〜３１ｄの内の操作されたボタンに対応する設定条件が、一時記憶部に記録された変更後の設定条件に更新される。
【００８３】
実施の形態１において、この所定時間とは、トイレ装置及びトイレ操作装置１のどちらか一方が備えた検知手段が、トイレ装置の使用者を検知している時間であるが、所定時間はこれに限定されない。例えば、検知手段が、トイレ装置の使用者を検知しなくなってから一定時間（例えば１分間）、等適宜に設定可能である。
【００８４】
また、この所定時間内に保存用ボタン４が操作されない場合は、一時記憶部から、変更後の動作条件は削除される。
【００８５】
長期記憶部は、第２のボタン群３の各ボタン３１ａ〜３１ｄに対応付けられているトイレ装置の各機能の設定条件を、ボタン３１ａ〜３１ｄごとに記憶している。長期記憶部に記憶された設定条件は、第２のボタン群３の各ボタン３１ａ〜３１ｄのいずれかが操作された後に、トイレ装置の諸機能のいずれかの動作条件が変更され、さらに、所定時間内に保存用ボタン４が操作されることで、変更後の動作条件に更新される。
【００８６】
なお、実施の形態１において、一時記憶部は、動作条件が変更された場合の変更後の動作条件を一時的に保存するためのものであるが、一時記憶部の構成はこれに限定されない。例えば、一時記憶部は、動作用メモリとしての機能を有していてもよい。つまり、第２のボタン群３のボタン３１ａ〜３１ｄのいずれかが操作されれば、操作されたボタンに対応する設定条件が一時記憶部に呼び出され、その動作条件が変更されれば、一時記憶部上で条件の変更が行われるような構成とすることもできる。この場合、所定時間経過までに保存用ボタン４が操作されなければ、一時記憶部の記録情報は削除される。
【００８７】
［動作］
以下においては、図１を用いて、実施の形態１に係るトイレ操作装置１の動作について説明する。
【００８８】
トイレ操作装置１は、使用者がトイレ装置の各機能のいずれかを動作させる前に第２のボタン群３のボタン３１ａ〜３１ｄのいずれかが操作されたか否かを判断する（ステップＳ１）。
【００８９】
ステップＳ１において、第２のボタン群３のいずれのボタンも操作されていない場合は、トイレ装置は通常設定で動作する（ステップＳ９）。ここで、実施の形態１において、通常設定とは、トイレ装置の各機能が、第２のボタン群３のいずれのボタンも操作されなかった場合で最も直前に動作した際の、動作条件でトイレ装置の各機能が動作する設定のことである。この場合、トイレ装置の各機能の動作条件については、動作開始後に、ボタン２２ａ〜２２ｊを操作することで変更可能である。
【００９０】
なお、通常設定としては、全ての動作条件が所定条件（例えば、設定可能範囲の中間条件等）でトイレ装置の各機能が動作するような設定を採用することもできる。また、直前
の使用者が第２のボタン群３が操作したか否かに関わらず、直前の使用者が使用した際の動作条件で、トイレ装置の各機能が動作するような設定を採用してもよい。これらの場合においても、トイレ装置の各機能の動作条件については、動作開始後に、第１のボタン群２のボタン２２ａ〜２２ｊを操作することで変更可能である。
【００９１】
ステップＳ１において、第２のボタン群３のボタン３１ａ〜３１ｄのいずれかが操作された場合、その操作されたボタンに対応したトイレ装置の各機能の設定条件が呼び出される（ステップＳ２）。そして、第１のボタン群２のボタンボタン２１ａ〜２１ｅのいずれかが操作されると、その操作されたボタンに対応したトイレ装置の各機能が、ステップＳ２で呼び出された設定条件で動作する（ステップＳ３）。
【００９２】
ステップＳ３でトイレ装置の機能の動作が開始された場合において、第１のボタン群２のボタン２２ａ〜２２ｊが操作され、動作条件が変更された場合（ステップＳ４）は、その機能は、変更後の動作条件で動作し（ステップＳ５）、変更後の動作条件が一時記憶部に記録される。
【００９３】
トイレ操作装置１は、検知手段がトイレ装置の使用者を検知しているか否かを判断しており（ステップＳ６）、使用者を検知している状態で、保存用ボタン４が操作された場合は、変更後の動作条件を新たな設定条件として長期記憶部を更新する（ステップＳ８）。
【００９４】
ステップＳ６において、検知手段がトイレ装置の使用者を検知しなくなるまでに、保存用ボタン４が操作されなかった場合、検知手段がトイレ装置の使用者を検知しなくなった後に、一時記憶部に記録されている変更後の動作条件は削除される。
【００９５】
（実施の形態に係るトイレ操作装置の効果等）
ここで、あらためて、実施の形態１に係るトイレ操作装置１の要点について説明する。
【００９６】
実施の形態１に係るトイレ操作装置１は、第１のボタン群２と、第２のボタン群３と、保存用ボタン４と、を備える。第１のボタン群２は、局部洗浄等のトイレ装置の各機能の設定条件を調整するためのボタン群である。第２のボタン群３は、記憶部にあらかじめ記録された設定条件を、トイレ装置の各機能の動作条件とするためのボタン群である。保存用ボタン４は、各機能の動作条件が記憶部に記録された設定条件から変更された場合に、記憶部に記録された設定条件を変更後の動作条件へと更新するためのボタンである。各機能の動作条件は、第２のボタン群３のボタン３１ａ〜３１ｄを操作後に、第１のボタン群２のボタン２２ａ〜２２ｊが操作されることで、記憶部に記録された設定条件から変更される。そして、各機能の動作条件が記憶部に記録された設定条件から変更された後、記録されていた所定時間内に保存用ボタン４が操作されない場合は、記憶部に記録された設定条件は更新されない。
【００９７】
上記構成を有することで、本発明に係るトイレ操作装置１によれば、設定条件を変更後の条件に更新するか否かを保存用ボタン４の１つのボタン操作で選択できるため、柔軟な設定条件の変更が可能となる。
【００９８】
また、第２のボタン群３の各ボタン３１ａ〜３１ｄには、それぞれ別個の設定条件を設定できることが好ましい。
【００９９】
上記構成のように、第２のボタン群３のボタン３１ａ〜３１ｄのそれぞれに、トイレ装置を頻繁に使用する個人それぞれの嗜好に合う設定条件を設定しておけば、１つの操作のみで各個人の嗜好に合う各機能の動作条件を呼び出すことができる。
【０１００】
保存用ボタン４を操作するための所定時間は、トイレ室内に備え付けられた検知手段が、人体を検出している時間であることが好ましい。
【０１０１】
上記構成によって、一切の操作を必要とせず、トイレ室内から使用者が退出するだけで、記憶部の設定条件を更新しない指示を行うことができる。
【０１０２】
トイレ装置の各機能には、局部洗浄と、局部の乾燥と、便座の加温と、が含まれることが好ましい。局部洗浄についての前記設定条件には、洗浄の強さと、洗浄位置と、水温と、が含まれることが好ましい。局部の乾燥についての前記設定条件には、送風温度と、送風強度と、が含まれることが好ましい。便座の加温についての前記設定条件には、便座温度が含まれることが好ましい。
【０１０３】
上記のように、様々な機能の設定条件が記憶部に記録されていれば、トイレ装置の使用者が各機能それぞれの動作条件を逐一調整する必要がなくなり、簡易な操作で使用者の嗜好に合った条件でトイレ装置の各機能を動作させることができる。
【０１０４】
また、第２のボタン群３の各ボタン３１ａ〜３１ｄは発光可能に形成され、第２のボタン群３のボタンのうち、操作されたボタンが発光することが好ましい。
【０１０５】
上記構成とすることで、ボタン３１ａ〜３１ｄの内の、どのボタンに対応した設定条件が呼び出されているのかを一見して把握することができる。
【０１０６】
（その他の実施の形態）
以上、実施の形態１を用いて、本発明に係るトイレ操作装置１を説明してきたが、トイレ操作装置１の実施態様は、実施の形態１に限定されるものではない。本発明の技術的思想から逸脱しない範囲内で種々の変更等が可能である。
【０１０７】
また、実施の形態１においては、ボタンは、物理ボタンを想定しているが、本発明にかかるボタンが物理ボタンに限定されない。例えば、トイレ操作装置１がタッチパネルを有しており、タッチパネル上に触れることで操作が可能なセンサ式のボタンを採用することもできる。
【０１０８】
また、トイレ操作装置１は、トイレ装置の専用品でなくてもよい。例えば、スマートフォンやタブレット等にアプリケーションソフトウェアをインストールすることによって、トイレ操作装置１として機能するようにしてもよい。この場合、トイレ装置専用のリモコン等を製造するコストが削減でき、さらに、ソフトウェアのアップデートによって、様々な機能を容易に付加することができるようになる。
【０１０９】
なお、上述の実施の形態１については、本発明の実施態様の例示に過ぎず、数値や形状等についても好ましいものの例示に過ぎず、本発明はこれらの実施の形態にのみ限定されるものではない。本発明の技術的思想の範囲を逸脱しない範囲で、構成に適宜変更を加えることは可能である。
【符号の説明】
【０１１０】
１        トイレ操作装置
２        第１のボタン群
３        第２のボタン群
４        保存用ボタン
【図１】
2019039270.tif 000003
【図２】
2019039270.tif 000004